(57)【要約】本発明は、ＭＲ撮像用のＭＲ装置及びかかるＭＲ装置用のＲＦコイル系に関連する。新しいＲＦコイル系を配置するために患者を動かす必要なしにかかるＭＲ装置中で異なった用途の間で切り換えることを可能とするために、本発明によれば、１つの巻型内に統合され異なった用途について最適化された少なくとも２つのＲＦコイルアレイを含み、各ＲＦコイルアレイは互いに減結合された少なくとも２つのＲＦコイルを有する、ＲＦ信号を送信及び／又は受信するＲＦコイル系を提供することが提案される。【特許請求の範囲】
【請求項１】
安定した主磁場を発生する主磁場磁石と、
傾斜磁場を発生する複数の傾斜磁場コイルを具備した傾斜磁場コイル系と、
１つの巻型内に統合され異なった用途について最適化された少なくとも２つのＲＦコイルアレイを含み、各ＲＦコイルアレイは互いに減結合された少なくとも２つのＲＦコイルを有する、ＲＦ信号を送信及び／又は受信するＲＦコイル系と、
前記ＲＦコイルアレイを駆動し、前記ＲＦコイルアレイからＭＲ信号を受信し、複数のチャネルが設けられ、特に最大数のＲＦコイルを有する前記ＲＦコイルアレイのＲＦコイルの数に対応する数のチャネルが設けられる、送信／受信ユニットと、
ＭＲデータ取得中に個々のＲＦコイルアレイの時間的に離れた使用のために前記ＲＦコイルアレイを切り換えるようにされる、ＭＲ撮像を制御する制御ユニットと、
受信されたＭＲ信号を処理する処理ユニットとを含む、
ＭＲ撮像用のＭＲ装置。
【請求項２】
前記少なくとも２つのＲＦコイルアレイは互いに減結合されることを特徴とする、請求項１記載のＭＲ装置。
【請求項３】
第１のコイルアレイはＳＥＮＳＥ法又はＳＭＡＳＨ法について最適化され、第２のＲＦコイルアレイはシナジーコイルアレイとして最適化されることを特徴とする、請求項１記載のＭＲ装置。
【請求項４】
前記ＳＥＮＳＥ用ＲＦコイルアレイ又はＳＭＡＳＨ用ＲＦコイルアレイは、前記シナジーコイルアレイのＲＦコイルと比較して検査されるべき対象により近く配置されるよう前記巻型内に配置されることを特徴とする、請求項３記載のＭＲ装置。
【請求項５】
前記ＳＥＮＳＥ用ＲＦコイルアレイ又はＳＭＡＳＨ用ＲＦコイルアレイは、前記シナジーコイルアレイと比較して、より多くの、且つ、より小さいＲＦコイルを有することを特徴とする、請求項３記載のＭＲ装置。
【請求項６】
前記シナジーコイルアレイのＲＦコイルは互いに重なり合うよう配置され、前記ＳＥＮＳＥ用ＲＦコイルアレイ又はＳＭＡＳＨ用ＲＦコイルアレイのＲＦコイルは互いに重なり合わないよう配置されることを特徴とする、請求項３記載のＭＲ装置。
【請求項７】
全てのＲＦコイルは前記送信／受信ユニットの別々のチャネルに接続され、前記制御ユニットは異なったＲＦコイルアレイのＲＦコイルによるＭＲ信号の同時取得を行うようにされることを特徴とする、請求項１記載のＭＲ装置。
【請求項８】
瞬間的なＭＲデータ取得の制御を取得されリアルタイムで評価されたＭＲ信号に従って変化させるよう、取得されリアルタイムで評価されたＭＲ信号を前記制御ユニットへフィードバックする手段が設けられることを特徴とする、請求項７記載のＭＲ装置。
【請求項９】
前記制御ユニットは、第１のＲＦコイルアレイによってｋ空間の第１のサブ領域からＭＲ信号を取得するようにされ、特にシナジーコイルアレイによってｋ空間の中心領域からＭＲ信号を取得するようにされ、第２のＲＦコイルアレイによってｋ空間の第２のサブ領域からＭＲ信号を取得するようにされ、特に前記ＳＥＮＳＥ用ＲＦコイルアレイ又はＳＭＡＳＨ用ＲＦコイルアレイによりｋ空間のエッジ領域からＭＲ信号を取得するようにされることを特徴とする、請求項７記載のＭＲ装置。
【請求項１０】
ＲＦ信号の送信及び／又は受信のための請求項１記載のＭＲ装置用のＲＦコイル系であって、
１つの巻型内に統合され異なった用途について最適化された少なくとも２つのＲＦコイルアレイを含み、各ＲＦコイルアレイは互いに減結合された少なくとも２つのＲＦコイルを有する、ＲＦコイル系。
【発明の詳細な説明】
【技術分野】
【０００１】
本発明は、ＭＲ撮像用の磁気共鳴（ＭＲ）装置、並びに、かかるＭＲ装置用のＲＦコイル系に関連する。
【背景技術】
【０００２】
上述の種類のＭＲ装置は、ＲＦコイルアレイによってＳＥＮＳＥ法を行う磁気共鳴装置を開示した例えば特許文献１といった多くの文献に記載されており、これらから公知である。ＲＦコイルアレイの最適化は、ＭＲ撮像において非常に重要である。所定の臨床プロトコルでは、画質の特定的な最適化は、コイル数、コイル形態、及びコイルの配置のパラメータ変化によってなされうる。目的は、基本的には、最大の信号対雑音比（ＳＮＲ）を得ることである。より深い層における高いＳＮＲは、所与の最小の寸法を有するＲＦコイルによって達成される。しかしながら、それにより例えば患者といった所与の大きさの検査されるべき対象に関連するＲＦコイルの最大数は限られている。しかしながら、ＳＥＮＳＥ撮像法又はＳＭＡＳＨ撮像法を用いる場合、ＲＦコイルの数を増加させることは、対応する時間的な分解能のために高い減少率を得るのに絶対的に必要である。
【０００３】
原理的には、ＲＦコイルのための設計規準は、関連する用途及び撮像法に依存してかなり異なるといえる。例えば、ＳＥＮＳＥ撮像法が用いられる場合、高い減少率と共に低誤差伝搬率が達成されるべきであるのに対して、シナジーコイルが用いられる場合はＳＮＲの最大化が最も重要である。従って、ＳＥＮＳＥ法のために最適化されたＲＦコイルアレイはまた、ＲＦコイルの数、寸法、及び位置に関してシナジーコイルとは幾何学的にずれていることとなる。
【特許文献１】国際公開第００／７２０３４号パンフレット
【特許文献２】国際公開第９９／５４７４６号パンフレット
【特許文献３】国際公開第９８／２１６００号パンフレット
【非特許文献１】K.Prussmann、「SENSE:  Sensitivity  Encoding  for  Fast  MRI」、Magnetic  Resonance  in  Medicine  42:  第９５２乃至９６２頁（１９９９）
【発明の開示】
【発明が解決しようとする課題】
【０００４】
臨床用途では、異なる用途及び撮像方法の間での切換え及び選択が、新しいＲＦコイルアレイを取り付けるために患者を移動させる必要なしに、意のままに行われうることが望ましい。従って、本発明は、かかる選択及び切換えを可能とするＭＲ装置及びかかるＭＲ装置用のＲＦコイル系を提供することを目的とする。
【課題を解決するための手段】
【０００５】
上記の目的は、本発明によれば、請求項１に記載のＭＲ装置によって達成され、かかるＭＲ装置は、
安定した主磁場を発生する主磁場磁石と、
傾斜磁場を発生する複数の傾斜磁場コイルを具備した傾斜磁場コイル系と、
１つの巻型内に統合され異なった用途について最適化された少なくとも２つのＲＦコイルアレイを含み、各ＲＦコイルアレイは互いに減結合された少なくとも２つのＲＦコイルを有する、ＲＦ信号を送信及び／又は受信するＲＦコイル系と、
ＲＦコイルアレイを駆動し、ＲＦコイルアレイからＭＲ信号を受信し、複数のチャネルが設けられ、特に最大数のＲＦコイルを有するＲＦコイルアレイのＲＦコイルの数に対応する数のチャネルが設けられる、送信／受信ユニットと、
ＭＲデータ取得中に個々のＲＦコイルアレイの時間的に離れた使用のためにＲＦコイルアレイを切り換えるようにされる、ＭＲ撮像を制御する制御ユニットと、
受信されたＭＲ信号を処理する処理ユニットとを含む。
【０００６】
本発明により異なった用途のために最適化されたＲＦコイルアレイを１つの巻型に同時に統合することは、主な利点を与える。検査中、他のＭＲ撮像法を適用することが所望である場合に、患者を動かすことはもはや必要でなく、患者を他の寝台へ移動させることも必要でなく、従って、全体の検査時間は短縮される。異なったＲＦコイルアレイは、ここでは所定の臨床用途のために別々に特定的に選択されうる。例えば、異なったＲＦコイルアレイが適切に最適化されたとき、ＳＮＲ及び／又は最高の時間的な解像度に関する最適化が達成されうる。
【０００７】
本発明によるＭＲ装置の有利な実施例は、従属項に開示されている。かかるＭＲ装置用のＭＲコイル系は、請求項１０に開示されている。
【０００８】
本発明によるＭＲ装置では、少なくとも個々のＲＦコイルアレイ内のＲＦコイルは互いに減結合される。従って、（送信モードでは）励起のために、又は、（受信モードでは）ＭＲ信号の取得のために、任意の時間において１つのＲＦコイルアレイのみが使用されえ、従って、他のＲＦコイルアレイのＲＦコイルは電子的にスイッチオフされる。個々のＲＦコイルアレイ間の切換えは、関連のある撮像プロトコル用の制御コンソールから直接、又は、関連のある撮像シーケンス自体によって実行されうる。
【０００９】
望ましい実施例では、個々のＲＦコイルアレイもまた互いに減結合されるよう配置され、それにより全ての異なったＲＦコイルアレイの個々のＲＦコイルもまた互いに減結合されるようにされる。結果として、送信／受信ユニット中に比較的多数のチャネルが設けられているかぎり、ＭＲ信号は全てのＲＦコイルから並列に受信されうる。ＲＦコイルの総数が送信／受信チャネルの利用可能なチャネルの総数よりも大きい場合に異なったＲＦコイルアレイのＲＦコイル間で意のままに切り換えることを可能とするよう、適切な切換え手段が設けられうる。これは、一回のＭＲデータ取得中の異なった撮像法の同時適用を可能とし、これは特殊な用途のときに特に関心となる。
【００１０】
本発明の更なる実施例によれば、有利には、第１のコイルアレイはＳＥＮＳＥ法又はＳＭＡＳＨ法について最適化され、第２のＲＦコイルアレイはシナジーコイルアレイとして最適化される。ＳＥＮＳＥ法に関しては、この方法が詳述されている非特許文献１及び特許文献２が参照される。ＳＭＡＳＨ法は、特許文献３に記載されている。ＳＥＮＳＥ法又はＳＭＡＳＨ法のためのＲＦコイルアレイは、取得時間の短縮を達成するために最適化されるのに対して、シナジーコイルアレイは最大の信号対雑音比を達成することが意図される。
【００１１】
この実施例の望ましい更なる変形例は、請求項４乃至６に開示されている。これによれば、ＳＥＮＳＥ用又はＳＭＡＳＨ用ＲＦコイルアレイは、望ましくは互いに重なり合わないよう配置されるシナジーコイルアレイのＲＦコイルとは対照的に、検査されるべき対称の近くに配置され、寸法がより小さく、数がより多く、互いに重なり合うよう配置される。
【００１２】
概して、臨床プロトコルに従った様々なＲＦコイルアレイ間の切換えは、完全な画像データのセットの取得後に行われる。しかしながら、請求項７に記載のように、全てのＲＦコイルが送信／受信ユニットの別々のチャネルに接続されるよう配置され、制御ユニットが異なったＲＦコイルアレイのＲＦコイルによるＭＲ信号の同時取得のために配置されるようにされてもよい。このように、ＭＲ信号は異なった領域から同時に、異なった送信先方向で取得されえ、有利な用途を可能とする。例えば、ＭＲデータ取得中に既にリアルタイムで、例えばＳＥＮＳＥ法について最適化されたＲＦコイルアレイによって取得されたＭＲデータから画像を再構成することが可能である。この種類の画像は、例えばＭＲ血管造影法において関心となる高い時間分解能で検査されるべき対象の変化を示す。かかるリアルタイムデータはまた、一般的なデータ取得の動き補正又は制御を可能とするようデータ取得へフィードバックされてもよい。
【００１３】
原理的には、撮像シーケンス中に互いに減結合されたＲＦコイルアレイを切り換えること（切換時間は約１００マイクロ秒）も可能である。ｋ空間のサブ領域のみからのデータ取得のために異なったＲＦコイルアレイを使用することを可能とする、新しい系統的なプロトコルが適用されうる。例えば、中央のｋ空間のデータは、例えばシナジーコイルアレイによって高ＳＮＲで測定されえ、一方で高ｋ空間周波数は、例えばＳＥＮＳＥ用ＲＦコイルアレイによって高速で取得される。対応する画像は、例えばＳＥＮＳＥ用コイルアレイをシナジーコイルアレイへ適切に構成すること、及び適応された再構成によって取得されうる。請求項９に記載のようなこのように手の込んだＭＲ装置の使用は、測定の時間の短縮の利点と及び最大ＳＮＲの地点を組み合わせることを可能とする。
【発明を実施するための最良の形態】
【００１４】
本発明について、図面を参照して以下詳述する。図１は、検査ゾーン内の患者台１９上に置かれた患者１５のＭＲ画像を形成する本発明によるＭＲ装置を示す図である。ＭＲ装置は、患者１５の縦方向に安定した均一な磁場を発生する複数の主磁場磁石を具備する主磁場磁石系１０を含む。傾斜磁場を発生するよう、複数の傾斜磁場コイル１１、１２、１３を具備する傾斜磁場コイル系が設けられる。更に、ＲＦ励起パルスを発生し、励起された検査ゾーンからＭＲ信号を取得するようＲＦコイル系１４が設けられ、本発明による当該ＲＦコイル系の構造については以下詳述する。送信／受信ユニット１６は、送信モードにおいてＲＦコイルシステム１４の個々のＲＦコイルを制御し、受信コードにおいて個々のＲＦコイルによって受信されたＭＲ信号を制御するよう、設けられる。受信されたＭＲ信号は、所望のＭＲ画像を形成するよう処理ユニット１７によって処理される。最後に、送信／受信ユニット１６、処理ユニット１７、及び様々なコイル系１０乃至１４の制御のために制御ユニット１８が設けられる。かかるＭＲ装置の基本的な構造の更なる詳細、並びに、その動作原理は、一般的に、上述の特許文献１から知られており、従ってここでは詳述しない。
【００１５】
図２ａは、本発明によるＲＦコイル系１４１の第１の実施例を示す図である。図中、サーフェスコイルとして形成され、断面で示される患者１５の周りに互いに重なり合って配置される２つのＲＦコイル２０、２１が示される。患者１５に最も近いＲＦコイルアレイ２０は、互いに隣接して、互いに重なり合うことのないよう配置される全部で８つのＲＦコイル２０１乃至２０８を含む。これらのコイルは、ＳＥＮＳＥ技術の適用に対して最適化されている。これらのコイル上には、第２のＲＦコイルアレイ２１の４つのＲＦコイル２１１乃至２１４が配置され、即ち、２つずつのＲＦコイルがわずかに互いに重なり合い、第１のＲＦコイルアレイ２０の全てのＲＦコイル２０１乃至２０８が覆われるよう配置される。ＲＦコイル２１１乃至２１４は、シナジーコイルとして構成される。
【００１６】
各ＲＦコイル２０１乃至２０８、並びに、２１１乃至２１４は、夫々の前置増幅器２２に接続され、従って全部で１２個の接点Ａ乃至Ｌがある。送信／受信ユニット（図１中の１６）が８つのチャネルのみを有する限り、この場合、図２ｂに示す切換ユニット２３は、１２個の接点Ａ乃至Ｌを８つのチャネル１乃至８に正しく切り換えるために使用されうる。切換ユニット２３はまた、このために制御ユニット１８によって制御される。
【００１７】
図３は、本発明によるＲＦコイルシステム１４２の更なる実施例を示す。図２ａに示すＲＦコイル系２０及び２１に加え、ＲＦコイル系１４２は、２つのＲＦコイルアレイ２０、２１を囲む、いわゆるバードケージコイルである頭部ボリュームコイル２４を含む。この実施例は、特に、患者の頭部のＭＲ画像を取得することが意図される。頭部ボリュームコイル２４に対しては、別々の入力Ｍ１（送信用）及び出力Ｍ２を有する別々の前置増幅器が提供される。
【００１８】
図４ａ及び図４ｂに、本発明によるＲＦコイルシステム１４３、１４４の２つの更なる実施例を示す。これらの実施例では、前置増幅器２２の前又は後に適当な切換手段２５及び２３が設けられるため、より少ないチャネルが必要である。図示の各実施例１４３、１４４は、２つのシナジーコイル３０、３１及び３つのＳＥＮＳＥコイル３２、３３、３４、ＲＦコイルを減結合させるために設けられたデカップリング・キャパシタンスＣKを具備する。或いは、減結合のために、例えばλ／２導線又は変圧器といった他の手段が設けられる。図示の実施例は、特に、心臓検査に適している。また、ＲＦコイル系の一部のみが２つのＲＦコイルアレイの組合せからなるものとされ、ＲＦコイル系の他の部分は従来のサーフェスコイルを構成する。
【００１９】
原理的には全てのＲＦコイルから同時にＭＲ信号が受信されうるよう使用されるＲＦコイル系の全てのＲＦコイルが互いからデカップリングされた本発明によるＭＲ装置の有利な適用について、図５を参照して以下詳述する。この点に関して、シナジーコイルアレイ及びＳＥＮＳＥ用コイルアレイが設けられることが想定される。取得されたＭＲデータ４０は、シナジーコイルデータ４１と、ＳＥＮＳＥ用コイルデータ４２とから構成される。ｋ空間、並びに、取得されたＭＲデータでのｋ空間の充填を、それぞれ記号的に示す。ＳＥＮＳＥデータ４２は、異なる方法でインタリーブされ、測定されるべき対象の変化の高い時間的な分解能を反映するｋ空間データセットからの画像４３、４４、４５の（シナジーデータ４１の）データ取得中のリアルタイムの再構成のために使用されうる。更に、リアルタイムデータは、データ取得の動き補正又は一般的な制御を行うために、ＭＲデータ取得へフィードバックされうる（フィードバック４７）。最後に、高い信号対雑音比を伴う従来のＭＲ画像４６もまた、シナジーコイルデータ４１から再構成されうる。尚、この手順は、シナジーコイル系とＳＥＮＳＥコイル系の組合せに限られるものではなく、原理的には他のＲＦコイルアレイの組合せの場合にも使用されうる。
【００２０】
ＲＦコイルアレイは、原理的には信号対雑音比を向上させるのに用いられる。画像取得の持続時間は、原理的にはそれによって影響を受けない。上述のＳＥＮＳＥ法及びＳＭＡＳＨ法は、ＳＮＲを犠牲にしてＭＲ画像の取得時間を短縮する。いずれの方法でも、視野（ＦＯＶ）が減少され、従って、折り返し（backfolding）又はエイリアシングを生じさせる。取得される画像は、後の段階において再び補正されねばならないエイリアシング・アーティファクトを含む。これは、ＲＦコイルアレイの個々のｎ個のＲＦコイルから取得されるＭＲデータによってなされ、なぜならばこれらのＲＦコイルはｎ個の画素の夫々を異なった見方で「見る」ためである。
【００２１】
ＳＥＮＳＥ法が、異なるプロファイルを有する個々のＲＦコイルの画像から画素毎に方程式体系を解くのに対して、ＳＭＡＳＨ法はＭＲ画像全体に対する方程式体系を生じさせる。ＳＭＡＳＨ法は、最も単純な場合にはＲＦコイルの線形ＲＦコイルアレイを使用し、コイルの感度から複数のシヌソイド高調波を合成する。これらの高調波は、Ｂ０傾斜磁場のようなｋ空間中のずれを生じさせる。従って、仮定に基づいていえば、ＳＭＡＳＨ法に対する再構成時間はＳＥＮＳＥ法に対するものよりも短いが、画質を犠牲にして「達成」される。ＳＥＮＳＥ法は、よりよい画質を提供する。従って、原理的には、線形ＲＦコイルアレイに対して２つの再構成法が使用されうる。今日利用可能な新規且つ高速なハードウエア再構成ユニットにより、再構成時間は、ＳＥＮＳＥ法の場合には時間的な分解能に関してもはや問題を与えない。
【００２２】
シナジーコイルは、まず、最適な信号対雑音比を生じさせるのに役立つ。これは、もちろん、ＳＥＮＳＥコイルについて成り立つが、再構成のための方程式体系の適切な解に関して２次的条件を観察することは必要ない。概して、臨床的には、出来る限り少ないアーティファクトを伴う高いＳＮＲが必要とされ、即ち、ＦＯＶ全体に亘り出来る限り出来る限り高いＳＮＲ及び強度分布が必要とされる。これは、原理的には、少数のＲＦコイルによって既に達成されている。全体画像を形成するようこれらのＲＦコイルを組み合わせることは、ＲＦコイルの数を増加させることにより著しく更に増加されえない中心に対するＳＮＲを提供する。
【００２３】
この種類のシナジーコイルアレイは、原理的にはＳＥＮＳＥ法のためにも使用されうる。高い時間的な解像度を得るために、ＲＦコイルは、最適な均一な画質にあまり適していない変更を受ける。一方では、個々のＳＥＮＳＥコイルは互いに重なり合うよう配置されないが、互いに所定の距離をおいて配置され、例えば、図６ａによれば、例えば互いに５ｍｍ乃至１０ｍｍの距離ｄをおいて配置された３つのＳＥＮＳＥコイル５０、５１、５２を示す。図６ｂに示すように、デカップリング・キャパシタンスＣKは３つのコイル５０、５１、５２のデカップリングのために配置され、一方で共鳴の調整のために適当な共鳴キャパシタンスＣTが設けられる。図６ｃ及び図６ｄに、夫々が局所ＲＦ変圧器Ｔによる容量性デカップリング及び誘導性デカップリングを伴うＳＥＮＳＥ用ＲＦコイルアレイの２つの更なる実施例を示す。ＲＦコイルは、図６ｅ中の５つのＳＥＮＳＥコイル６０乃至６４に基づいて示されるように互いに対して傾斜されるよう配置されうる。更に、ＲＦコイルの数は出来るだけ多いべきである。
【００２４】
図７ａ乃至図７ｇは、本発明によるＲＦコイル系の更なる実施例を示す図である。図７ａ及び図７ｂはいずれも、夫々の前置増幅器２２を伴う４つのシナジーコイル７０乃至７３を示す。各コイル７０乃至７３は、デカップリング・キャパシタンスＣKによって減結合されるが、異なる方法で互いに接続される。
【００２５】
図７ｃ及び図７ｄは、夫々が４つのシナジーコイル７０乃至７３を有する２つの更なるシナジーコイルアレイを示す。その中のデカップリング・キャパシタＣKは、夫々が隅に配置される。そこに同調するために、夫々、異なる数の同調キャパシタＣTが設けられる。
【００２６】
図７ｅは、ＳＥＮＳＥ用ＲＦコイルアレイの更なる実施例を示す。このアレイは、６つのコイル対８０乃至８５を有し、各対は、デカップリング・キャパシタンスＣK及び夫々２つの前置増幅器を介して減結合される２つのＲＦコイルを有する。コイル対８０及び８２は、距離を置いて、また前置増幅器２２の高オーミック入力抵抗を介して互いに減結合される。
【００２７】
図７ｆは、図７ｅに示すＳＥＮＳＥ用ＲＦコイルアレイ及びシナジーコイルアレイの組合せを示す図である。８コイル対８０乃至８５は、２つのシナジーコイル９０、９１からなるシナジーコイルアレイによって略完全に覆われる。もちろん、他のＳＥＮＳＥコイル、並びに、異なる数及び配置のＳＥＮＳＥコイル又はシナジーコイルもまた互いに結合されうる。
【００２８】
図７ｇは、４つのＳＥＮＳＥ用ＲＦコイル１００、１０１、１０２、１０３を有する他のＳＥＮＳＥ用又はＳＭＡＳＨ用ＲＦコイルアレイを示す。かかるＲＦコイルアレイは、望ましくは大きいループコイルの形でシナジーコイルと組み合わされる。
【００２９】
本発明によれば、異なる用途のために最適化された少なくとも２つのＲＦコイルアレイが１つの巻型に統合される。かかる組み合わされたＲＦコイルアレイの構造は、サンドイッチ状の形をとりうる。個々のＲＦコイル又はＲＦコイルアレイの数、配置、及び形態については様々な解決策が可能であり、従って、様々な新規なＭＲ撮像法が可能となる。全体的にみると、本発明によるＭＲ装置は、データ取得時間のかなりの短縮を与え、同じ時間における動作の容易さを高める。
【図面の簡単な説明】
【００３０】
【図１】本発明によるＭＲ装置を示す図である。
【図２ａ】本発明によるＲＦコイル系の第１の実施例を示す図である。
【図２ｂ】関連する切換ユニットを示す図である。
【図３】本発明によるＲＦコイル系の第２の実施例を示す図である。
【図４ａ】切換ユニットと共に本発明によるＲＦコイルシステムの第３の実施例を示す図である。
【図４ｂ】切換ユニットと共に本発明によるＲＦコイルシステムの第４の実施例を示す図である。
【図５】本発明によるＭＲ装置の用途を示す図である。
【図６ａ】ＳＥＮＳＥ用ＲＦコイルアレイを示す図である。
【図６ｂ】ＳＥＮＳＥ用ＲＦコイルアレイを示す他の図である。
【図６ｃ】ＳＥＮＳＥ用ＲＦコイルアレイを示す他の図である。
【図６ｄ】ＳＥＮＳＥ用ＲＦコイルアレイを示す他の図である。
【図６ｅ】ＳＥＮＳＥ用ＲＦコイルアレイを示す他の図である。
【図７ａ】本発明によるＲＦコイルアレイの一つの変形例を示す図である。
【図７ｂ】本発明によるＲＦコイルアレイの他の変形例を示す図である。
【図７ｃ】本発明によるＲＦコイルアレイの他の変形例を示す図である。
【図７ｄ】本発明によるＲＦコイルアレイの他の変形例を示す図である。
【図７ｅ】本発明によるＲＦコイルアレイの他の変形例を示す図である。
【図７ｆ】本発明によるＲＦコイルアレイの他の変形例を示す図である。
【図７ｇ】本発明によるＲＦコイルアレイの他の変形例を示す図である。
【図１】
2005529698.tif 000002
2005529698.tif 000003
【図２ｂ】
2005529698.tif 000004
【図３】
2005529698.tif 000005
2005529698.tif 000006
【図４ｂ】
2005529698.tif 000007
【図５】
2005529698.tif 000008
2005529698.tif 000009
2005529698.tif 000010
2005529698.tif 000011
2005529698.tif 000012
【国際調査報告】
2005529698.tif 000013
2005529698.tif 000014
2005529698.tif 000015